(57)【要約】【課題】本発明はスピーカの取り付け装置に関するものであり、スピーカの音響出力の低下を抑制することを目的とする。【解決手段】そして、この目的を達成するために本発明は、スピーカ７の外周端部に設けられた装着板１３において前記スピーカ７の再生音放射側とは逆向きの面にフック１４を設け、このフック１４が嵌挿される嵌挿孔はフック１４の嵌挿後の可動時において装着板１３で覆われる構成とし、その結果、嵌挿孔における空気の出入りを防止しスピーカ７の再生音とは逆位相の波形の音の漏れを防ぐことで、スピーカ７の音響出力の低下を抑制することができる。【選択図】図１
2008104048.tif 000002
【特許請求の範囲】
【請求項１】
スピーカと、
このスピーカの外周端部に設けられた装着板と、
この装着板において前記スピーカの再生音放射側とは逆向きの面に設けられたフックと、
このフックが嵌挿される嵌挿孔を外周部に有すると共に前記スピーカが取り付けられる開口部が内周部に設けられた被装着板とを備え、
前記被装着板の嵌挿孔は前記フックの嵌挿後の水平可動方向に開口幅が小さくなる構成とすると共にこの嵌挿孔は前記フックの嵌挿後の可動時において装着板で覆われた構成としたスピーカ装置。
【請求項２】
前記被装着板の装着板とは反対側の面における前記嵌挿孔の小開口部左右縁部には、フックの嵌挿方向に高さが高くなる傾斜部が設けられた請求項１に記載のスピーカ装置。
【請求項３】
前記フックの嵌挿方向は重力方向と一致する請求項１または２に記載のスピーカ装置。
【請求項４】
前記被装着板において前記開口部と前記嵌挿孔との間に環状のクッションが設けられた請求項１〜３の何れか一つに記載のスピーカ装置。
【請求項５】
前記スピーカのフレームと前記装着板は一体形成された請求項１〜４の何れか一つに記載のスピーカ装置。
【発明の詳細な説明】
【技術分野】
【０００１】
本発明は、スピーカ装置に関するものである。
【背景技術】
【０００２】
以下、図４を用いて従来の発明について説明する。
【０００３】
図４に示すように、従来のスピーカ装置１は、スピーカ２と、このスピーカ２の外周部に設けられた略Ｌ字型のフック３と、このスピーカ２のフック３が挿入される切り欠け部４を有すると共に前記スピーカ２が取り付けられる開口部５が設けられた被装着板６とで構成されていた。
【０００４】
そして、この従来のスピーカ装置１は、略Ｌ字型のフック３を切り欠け部４に挿入し、フック３を切り欠け部４の脇に引っ掛け、被装着板６を挟持することでビス等を用いず極めて簡単にスピーカ２を被装着板６に装着するものであった。
【０００５】
なお、この出願の発明に関する先行技術文献情報としては、例えば、特許文献１が知られている。
【特許文献１】特開平１１−１５５１９２号公報
【発明の開示】
【発明が解決しようとする課題】
【０００６】
しかしながら、上記従来のスピーカ装置１は、スピーカ２を被装着板６に容易に取り付けることを目的とし、フック３を切り欠け部４の脇に引っ掛ける構成としたため、スピーカ２を取り付けた後には切り欠け部４は孔が空いた状態となってしまう。
【０００７】
そして、この孔やスピーカ２と開口部５との間の僅かな隙間から、スピーカ２の振動板の裏側で生じた逆位相音が漏れ、この音がスピーカ２の再生音と打ち消し合ってしまい、音響出力の低下の原因となっていた。
【０００８】
そこで、本発明は、スピーカの音響出力の低下を防止することを目的とする。
【課題を解決するための手段】
【０００９】
そして、この目的を達成するために本発明は、スピーカと、このスピーカの外周端部に設けられた装着板と、この装着板において前記スピーカの再生音放射側とは逆向きの面に設けられたフックと、このフックが嵌挿される嵌挿孔を外周部に有すると共に前記スピーカが取り付けられる開口部が内周部に設けられた被装着板とを備え、前記被装着板の嵌挿孔は前記フックの嵌挿後の水平可動方向に開口幅が小さくなる構成とすると共にこの嵌挿孔は前記フックの嵌挿後の可動時において装着板で覆われた構成としたものである。
【発明の効果】
【００１０】
この構成により、フックの嵌挿孔を装着板で塞ぐことで嵌挿孔における空気の出入りを防止し、振動板の裏側で生じた逆位相音の再生音放射方向側への漏れを抑制できる。この結果、スピーカの音響出力の低下を防止することができる。
【発明を実施するための最良の形態】
【００１１】
（実施の形態１）
以下、本発明の実施の形態１について図１から図３（Ａ）（Ｂ）を用いて説明する。図１は本発明の実施の形態１におけるスピーカとスピーカ外周に設けた装着板の断面図、図２は本発明の実施の形態１におけるスピーカとスピーカの外周部に設けた装着板の背面図、図３（Ａ）は本発明の実施の形態１における被装着板の正面図、図３（Ｂ）は本発明の実施の形態１における取り付け構造部分の断面図である。
【００１２】
図１に示されるよう、スピーカ７は、すり鉢状のフレーム８と磁気回路体９と円筒状のボイスコイル１０と皿状の振動板１１とを備え、前記ボイスコイル１０は磁気回路体９が形成する磁気ギャップ１２に対して可動自在に配置されている。さらに、このボイスコイル１０の上部外周面は振動板１１の内周部分と接続され、ボイスコイル１０の運動が伝達することで振動板１１が振動する構造となっている。
【００１３】
装着板１３は、図１、図２に示すように、略正方形板であって、その内方でフレーム８の外周部分と接続されている。なお、フレーム８と装着板１３はインサート成形により一体形成されており、フレーム８と装着板１３との間には隙間は存在しない。
【００１４】
さらに、この装着板１３上においてフレーム８の外周付近には、スピーカ７の磁気回路体９側方向に突出するフック１４が四本設けられている。このフック１４は、先端部の幅が広く、テーパー状に成形されている。
【００１５】
図３（Ａ）に示される略長方形の被装着板１５は、中央部分にスピーカ７を取り付けるための開口部１６を備え、この開口部１６の形状はスピーカ７の外周よりも大きい略円形となっている。また、被装着板１５にはフック１４の嵌挿孔１７が開口部１６の外周付近に四箇所設けられており、この嵌挿孔１７はフック嵌挿後の水平可動方向にその開口幅が小さくなっている。ここで、被装着板１５のスピーカ７設置時における再生音放射側の面を前面とし磁気回路体側の面を後面とすると、図３（Ｂ）に示すように、被装着板１５の後面において嵌挿孔１７の左右縁部は嵌挿方向に高さが高くなる傾斜部１８が設けられ、この傾斜部１８は凹凸が交互に並べられた形状となっており、この凹凸の凹部にて嵌挿後のフック１４は係止される。なお、フック１４の嵌挿方向は本スピーカ装置の設置場所における重力方向と一致しており、発明の実施の形態１における重力方向とは図３（Ａ）（Ｂ）のａの方向である。
【００１６】
また、図１、２に示されるようにスピーカ７とフック１４の間には、スピーカ７を囲むように環状のクッション１９が設けられている。このクッション１９はスポンジやウレタンなどの防音性に優れた材料で形成されている。
【００１７】
次に、本発明の実施の形態１におけるスピーカ７の動作について図１、図２、図３（Ａ）（Ｂ）及び図４を用いて説明する。
【００１８】
図１に示されるボイスコイル１０に音声信号を印加すると、磁気回路体９が形成する磁気ギャップ１２の磁束と反応し、フレミング左手の法則に従ってボイスコイル１０は上下方向に変動する。このボイスコイル１０の変動により、ボイスコイル１０に接続された振動板１１が振動し、空気を動かすことによってスピーカ７から音が放射される仕組みとなっている。
【００１９】
また、この時の振動板１１の動作により、振動板１１の表側と裏側の空気では全く逆の作用が行われる。すなわち、振動板１１が前に動くと振動板１１の表側の空気は前に押され「密」になるのに対し、裏側では空気は薄く「疎」となり、この結果、振動板１１の裏側ではスピーカ７の再生音とは逆位相の波形を擁した音が発生する。
【００２０】
したがって、図４に示す従来のスピーカ装置１では、スピーカ２の取り付けを容易に行うために設けた切り欠け部４の孔から逆位相音が漏れ、この音が再生音と干渉し打ち消し合うことでスピーカ２の音響出力は弱められてしまう。
【００２１】
これに対し、本発明の実施の形態１では、図１から図３（Ａ）（Ｂ）に示すようにスピーカ７の外周に接続した装着板１３にフック１４を設け、被装着板１５の嵌挿孔１７をフック嵌挿後の可動時において装着板で覆われる構造としたものである。この構造により、装着板１３を被装着板１５に固定した後は、被装着板１５の嵌挿孔１７は装着板１３にて覆われる。これらの結果、振動板１１の裏側から表側への空気の出入りは抑制され、逆位相音の再生音放射側への漏れを防ぐことができ、スピーカ７は音響出力を損なわれずに音を放射することが可能となる。
【００２２】
また、本発明の実施の形態１では被装着板１５の裏側において、嵌挿孔１７の小開口部左右縁部に傾斜部１８を設けた構造としている。これにより、図３（Ｂ）に示すように、スピーカ７を取り付ける際には、フック１４は傾斜部１８の高さがフック１４の根本から先端部までの距離ｈと一致する位置まで嵌挿され、その結果、傾斜部１８には圧力Ｐが加えられ、装着板１３は被装着板１５の表面に圧接固定されることになる。したがって、装着板１３と被装着板１５の隙間における空気の出入りは抑制され、スピーカ７の音響出力は損なわれない。
【００２３】
なお、この本発明の実施の形態１のように、フック１４の嵌挿方向を本スピーカ装置の設置場所の重力方向と一致させると、フック１４には常に嵌挿方向に力が働くことになり、取り付け後のスピーカ７をより一層効果的に取り付け位置に保持することが出来る。
【００２４】
また、被装着板１５において開口部１６と嵌挿孔１７との間に設けられた環状のクッション１９により、クッション１９を設けた位置において装着板１３と被装着板１５とを密着固定でき、逆位相音の再生音放射側への漏れを防止できる。この結果、再生音が逆位相音に干渉し打ち消されることはなく、スピーカ７の音響出力は損なわれない。
【００２５】
なお、フレーム８と装着板１３はインサート成形などにより一体成形されていることが望ましい。一体成形することでフレーム８と装着板１３との接合部分における隙間の発生を防止でき、スピーカ７の音響出力は損なわれない。
【００２６】
また、傾斜部１８は凹凸が交互に並べられた形状としてもよい。これにより、フック１４は傾斜部１８の高さｈがフック１４の根本から先端部までの距離と一致する位置の凹部と嵌合し固定され、装着後も安定してスピーカ７の取り付け位置を保持することができる。
【００２７】
なお、近年の車載用スピーカは実使用面ドア取り付けにより、強い振動を受けることが多い。従って、スピーカ７の取り付け後も安定してその取り付け位置を保持することができ、かつ高い音響出力を提供することが可能な本スピーカ装置は、特にドア部分取り付けの車載用スピーカに好適に採用され得る。
【産業上の利用可能性】
【００２８】
本発明は、スピーカ装置において、スピーカと接続された装着板に被装着板との接続用のフックを設け、このフックの嵌挿孔をフック嵌挿後の可動時に装着板で覆う構造としたことで、高い音響出力を提供することができ、車載用スピーカに有用である。
【図面の簡単な説明】
【００２９】
【図１】本発明の実施の形態１におけるスピーカとスピーカ外周に設けた装着板の断面図
【図２】本発明の実施の形態１におけるスピーカとスピーカ外周に設けた装着板の背面図
【図３】（Ａ）は本発明の実施の形態１における被装着板の正面図、（Ｂ）は本発明の実施の形態１における被装着板のフック部分の拡大側面図
【図４】従来例の斜視図
【符号の説明】
【００３０】
７  スピーカ
８  フレーム
９  磁気回路体
１０  ボイスコイル
１１  振動板
１２  磁気ギャップ
１３  装着板
１４  フック
１５  被装着板
１６  開口部
１７  嵌挿孔
１８  傾斜部
１９  クッション
【図１】
2008104048.tif 000003
【図２】
2008104048.tif 000004
【図３】
2008104048.tif 000005
【図４】
2008104048.tif 000006